(57)【要約】【課題】スルー画表示機能とダストリダクション機能を同時に動作させた場合でも、スルー画表示が見苦しくならないようにしたデジタルカメラを提供する。【解決手段】撮影レンズを通過した被写体光束を受けて、被写体像信号を出力するＣＣＤ２２１と、このＣＣＤ２２１の前側に配置された防塵フィルタ２１８に付着した塵埃を除去する除去するための圧電素子２２０と防塵フィルタ駆動回路２１６と、ＣＣＤ２２１の出力に基づいて被写体の動画像を表示する液晶モニタ２６を具備し、液晶モニタ２６でスルー画表示中に防塵フィルタ駆動回路２１６によって防塵フィルタ２１８を振動させる際には、動画像の表示を固定、もしくは非表示にする。【選択図】  図７
2008053846.tif 000002
【特許請求の範囲】
【請求項１】
撮影レンズを通過した被写体光束を受けて、被写体像信号を出力する撮像手段と、
この撮像手段の撮像面またはその前側に配置された光学素子に付着した塵埃を除去する塵埃除去手段と、
上記撮像手段の出力に基づいて被写体の動画像を表示する表示手段と、
上記表示手段での動画表示中に上記加振手段によって上記防塵フィルタを振動させる際には、上記動画像の表示を固定、もしくは非表示にする制御手段と
を具備することを特徴とするデジタルカメラ。
【請求項２】
上記制御手段は、上記表示手段による動画表示のための画像の更新を停止することにより上記動画像の表示を固定することを特徴とする請求項１に記載のデジタルカメラ。
【請求項３】
上記制御手段は、上記表示手段の表示画面上に上記塵埃除去手段により塵埃除去動作がなされていることをメッセージ表示することにより上記動画像の表示を非表示とすることを特徴とする請求項１に記載のデジタルカメラ。
【請求項４】
上記制御手段は、上記動画像の表示を固定、もしくは非表示にしてから上記塵埃除去手段による塵埃の除去動作を開始することを特徴とする請求項１に記載のデジタルカメラ。
【請求項５】
上記制御手段は、上記塵埃除去手段による塵埃の除去動作を停止してから、上記動画像の表示の固定、もしくは非表示を解除することを特徴とする請求項１に記載のデジタルカメラ。
【請求項６】
上記塵埃除去手段は、上記光学素子を振動させ、または空気流によって塵埃を吹き払い、または静電気によって集塵し、または加速度によって塵埃を払い落とすことを特徴とする請求項１に記載のデジタルカメラ。
【請求項７】
上記塵埃除去手段による除塵動作を指示する手動操作部材を有し、上記塵埃除去手段は上記手動操作部材の操作に応じて動作を開始することを特徴とする請求項１に記載のデジタルカメラ。
【請求項８】
撮影レンズを通過した被写体光束を受けて、被写体像信号を出力する撮像手段と、
この撮像手段の撮像面の前側に配置された防塵フィルタと、
この防塵フィルタを振動させる加振手段と、
上記撮像手段の出力に基づいて被写体の動画像を表示する表示手段と、
を具備し、
上記表示手段での動画表示中に上記加振手段によって上記防塵フィルタを振動させる際には、上記動画像の表示を固定、もしくは非表示にするようにしたことを特徴とするデジタルカメラ。
【発明の詳細な説明】
【技術分野】
【０００１】
本発明は、スルー画表示機能とダストリダクション機能とを有するデジタルカメラに関する。
【背景技術】
【０００２】
デジタル一眼レフカメラの中には、可動ミラーを撮影光路から退避させると共にフォーカルプレーンシャッタを全開状態にして被写体像を撮像素子に導き、それによって得られた被写体像を連続的に液晶モニタ等の表示装置に表示するようにしたいわゆるスルー画表示機能（ライブビュー表示機能、電子ファインダ機能とのも言う）を有しているものがある（例えば、特許文献１参照）。また、撮像素子の撮像面に塵埃が付着すると、その影が写り込んで画質の低下を招くため、撮像素子の前面に防塵フィルタを配置し、この防塵フィルタを超音波振動させることによって付着した塵埃を除去する、いわゆるダストリダクション機能を有するものもある（特許文献２参照）。特許文献２に開示されたダストリダクション装置では、防塵フィルタの周縁部に圧電素子を固着し、この圧電素子に交流電圧を印加することで振動させ、それによって防塵フィルタに振動波を発生するようになっている。
【特許文献１】特開２００２−３６９２２２号公報
【特許文献２】特開２００３−３１９２２２号公報
【０００３】
また、塵埃を除去する別の方法として、特許文献３には、手振れ検出センサの出力に応答して撮像素子を撮影光軸に直交する面に沿ってシフトさせることで手振れ補正を行う、いわゆる撮像素子シフト方式の手振れ補正機構を有するカメラにおいて、この撮像素子シフト機構を利用して撮像素子を駆動し、そのときの加速度を利用して、撮像面に付着した塵埃を除去する技術が開示されている。
【特許文献３】特開２００５−１５９７１１号公報
【発明の開示】
【発明が解決しようとする課題】
【０００４】
このように撮像面やその近傍の光学素子における塵埃除去（ダストリダクション）は種々の方法があるが、スルー画表示中に塵埃除去を行った場合に、次のような問題が発生する。すなわち、超音波振動を利用した塵埃除去では、超音波振動させるために圧電素子の高電圧を印加するために、昇圧トランスによって発生するノイズが撮像素子の画像信号に重畳して、スルー画表示が見苦しくなる。また、撮像素子シフト機構を利用する塵埃除去では、撮像素子そのものが振動するためにスルー画表示画面が揺れてしまい、見苦しくなってしまう。
【０００５】
本発明は、このような事情を鑑みてなされたものであり、スルー画表示機能とダストリダクション機能を同時に動作させた場合でも、スルー画表示が見苦しくならないようにしたデジタルカメラを提供することを目的とする。
【課題を解決するための手段】
【０００６】
上記目的を達成するため第１の発明に係わるデジタルカメラは、撮影レンズを通過した被写体光束を受けて、被写体像信号を出力する撮像手段と、この撮像手段の撮像面またはその前側に配置された光学素子に付着した塵埃を除去する塵埃除去手段と、上記撮像手段の出力に基づいて被写体の動画像を表示する表示手段と、上記表示手段での動画表示中に上記加振手段によって上記防塵フィルタを振動させる際には、上記動画像の表示を固定、もしくは非表示にする制御手段を具備する。
【０００７】
また、第２の発明に係わるデジタルカメラは、上記第１の発明において、上記制御手段は、上記表示手段による動画表示のための画像の更新を停止することにより上記動画像の表示を固定する。
さらに、第３の発明に係わるデジタルカメラは、上記第１の発明において、上記制御手段は、上記表示手段の表示画面上に上記塵埃除去手段により塵埃除去動作がなされていることをメッセージ表示することにより上記動画像の表示を非表示とする。
さらに、第４の発明に係わるデジタルカメラは、上記第１の発明において、上記制御手段は、上記動画像の表示を固定、もしくは非表示にしてから上記塵埃除去手段による塵埃の除去動作を開始する。
さらに、第５の発明に係わるデジタルカメラは、上記第１の発明において、上記制御手段は、上記塵埃除去手段による塵埃の除去動作を停止してから、上記動画像の表示の固定、もしくは非表示を解除する。
【０００８】
さらに、第６の発明に係わるデジタルカメラは、上記第１の発明において、上記塵埃除去手段は、上記光学素子を振動させ、または空気流によって塵埃を吹き払い、または静電気によって集塵し、加速度によって塵埃を払い落とす。
さらに、第７の発明に係わるデジタルカメラは、上記第１の発明において、上記塵埃除去手段による除塵動作を指示する手動操作部材を有し、上記塵埃除去手段は上記手動操作部材の操作に応じて動作を開始する。
【０００９】
上記目的を達成するため第８の発明に係わるデジタルカメラは、撮影レンズを通過した被写体光束を受けて、被写体像信号を出力する撮像手段と、この撮像手段の撮像面の前側に配置された防塵フィルタと、この防塵フィルタを振動させる加振手段と、上記撮像手段の出力に基づいて被写体の動画像を表示する表示手段を具備し、上記表示手段での動画表示中に上記加振手段によって上記防塵フィルタを振動させる際には、上記動画像の表示を固定、もしくは非表示にする。
【発明の効果】
【００１０】
本発明によれば、表示手段での動画表示中に塵埃除去動作を行う際には、動画像の表示を固定、もしくは非表示にするようにしたので、スルー画表示機能と塵埃除去機能を同時に動作させた場合でも、スルー画表示が見苦しくならないようにしたデジタルカメラを提供することができる。
【発明を実施するための最良の形態】
【００１１】
以下、図面に従って本発明を適用したデジタル一眼レフカメラを用いて好ましい第１実施形態について説明する。図１は、本発明の第１実施形態に係るデジタル一眼レフカメラについて背面からみた外観斜視図である。このデジタルカメラは、撮影レンズによって形成される被写体像を撮像素子上に結像させ、この撮像素子の出力に基づいて被写体像観察用として液晶モニタ等の表示装置に動画像を表示する所謂スルー画表示機能を有している。また、撮影者からの撮影指示に応じて静止画像を取得し、記録媒体に記録可能である。さらに、超音波振動を利用した塵埃除去機能（ダストリダクション機能）を有している。
【００１２】
カメラ本体２００の上面にはレリーズ釦２１、モードダイヤル２２、コントロールダイヤル２４等が配置されている。レリーズ釦２１は、撮影者が半押しするとオンする第１レリーズスイッチと、全押しするとオンする第２レリーズスイッチを有している。この第１レリーズスイッチ（以下、１Rと称する）のオンによりカメラは焦点検出、撮影レンズのピントあわせ、被写体輝度の測光等の撮影準備動作を行い、第２レリーズスイッチ（以下、２Rと称する）のオンにより撮像素子としてのＣＣＤ（Charge Coupled Devices）２２１（図２参照）の出力に基づいて被写体像の画像データの取り込みを行う撮影動作を実行する。
【００１３】
モードダイヤル２２は回転可能に構成された操作部材であり、モードダイヤル２２上に設けられた撮影モードを表す絵表示または記号に指標に合致させることにより、フルオート撮影モード（ＡＵＴＯ）、プログラム撮影モード（Ｐ）、絞り優先撮影モード（Ａ）、シャッタ撮影優先モード（Ｓ）、マニュアル撮影モード（Ｍ）、ポートレート撮影モード、風景撮影モード、マクロ撮影モード、スポーツ撮影モード、夜景撮影モード等の各撮影モードを選択することができる。コントロールダイヤル２４は回転可能に構成された操作部材であり、情報表示画面等において、コントロールダイヤル２４の回転操作により所望の設定値やモード等を選択することができる。
【００１４】
カメラ本体２００の背面には、液晶モニタ２６、再生釦２７、メニュー釦２８、アップ用十字釦３０Ｕ、ダウン用十字釦３０Ｄ、右用十字釦３０Ｒ、左用十字釦３０Ｌ（これらの各十字釦３０Ｕ、３０Ｄ、３０Ｒ、３０Ｌを総称する際には、十字釦３０と称する）、OK釦３１、表示切換釦３４、ホワイトバランス釦３７、ＩＳＯ感度釦３８が配置されている。液晶モニタ２６は、撮影済みの被写体像を再生表示し、また、撮影条件やメニューを表示するための表示装置である。これらの表示を行うことができるものであれば、液晶に限らない。再生釦２７は、撮影後に記録した被写体画像を液晶モニタ２６に表示させることを指示するための操作釦である。後述するＳＤＲＡＭ２３７、記録媒体２４５にＪＰＥＧ等の圧縮モードで記憶されている被写体の画像データを伸張して表示する。
【００１５】
十字釦３０は液晶モニタ２６上で、Ｘ方向とＹ方向の２次元方向にカーソルの移動を指示するための操作部材であり、また、後述するように、記録媒体に記録された被写体像を表示するにあたって、記録媒体の指示にも使用する。なお、アップ、ダウン、左、右用の４つの釦を設ける以外にも、タッチスイッチのように２次元上で操作方向を検出できるスイッチ等の２次元方向に操作できるスイッチに置き換えることも可能である。ＯＫ釦３１は、十字釦３０やコントロールダイヤル２４等によって選択された各種項目を確定するための操作部材である。メニュー釦２８は、このデジタルカメラの各種モードを設定するためのメニューモードに切換えるための釦であり、このメニュー釦２８の操作によってメニューモードを選択すると、液晶モニタ２６にメニュー画面が表示される。メニュー画面は複数の階層構造となっており、十字釦３０で各種項目を選択し、ＯＫ釦３１の操作により選択を決定する。
【００１６】
表示切換釦３４は、後述するスルー画表示と情報表示とを切り換えるための操作釦であって、スルー画表示は、被写体像記録用のＣＣＤ２２１の出力に基づいて液晶モニタ２６に被写体像を観察用に表示するモードであり、情報表示はカメラの撮影情報を表示設定するために液晶モニタ２６に表示されるモードである。ホワイトバランス釦３７は、ホワイトバランスを設定するための操作釦であり、このホワイトバランス釦３７を操作することによって、液晶モニタ２６に設定画面が表示され、オート、太陽光、曇天、日陰、電球、蛍光灯１〜３、ワンショット等の各モードが表示され、前述のコントロールダイヤル２４の回転操作によって選択し、ＯＫ釦３１の操作によって決定することができる。
【００１７】
ＩＳＯ感度釦３８は、ＩＳＯ感度を設定するための操作釦であり、このＩＳＯ感度釦３８を操作するによって、液晶モニタ２６に設定画面が表示され、オート、感度１００〜１６００の各感度を、前述のコントロールダイヤル２４の回転操作によって選択し、ＯＫ釦３１の操作によって決定することができる。カメラ任せにする場合には、オートを選択し、撮影意図がある場合には、感度１００〜１６００の範囲内で撮影者が任意に設定することができる。除塵釦３９は、後述するように、撮像素子としてのＣＣＤ２２１の前側に配置された除塵機構を動作させるための操作釦である。本実施形態では超音波振動を利用した除塵機構を採用し、ＣＣＤ２２１の前側の光学素子を超音波振動させることで付着した塵埃を除去している。カメラ本体２００の側面には、記録媒体収納蓋４０が開閉自在に取り付けられている。この記録媒体収納蓋４０を開放すると、この内部に記録媒体２４５用の装填スロットが設けられており、記録媒体２４５はカメラ本体２００に対して、脱着自在に装填可能となっている。
【００１８】
次に、図２を用いて、デジタル一眼レフカメラの電気系を主とする全体構成を説明する。本実施形態に係わるデジタル一眼レフカメラは、交換レンズ１００とカメラ本体２００とから構成される。本実施形態では、交換レンズ１００とカメラ本体２００は別体で構成され、通信接点３００にて電気的に接続されているが、交換レンズ１００とカメラ本体２００を一体に構成することも可能である。
【００１９】
交換レンズ１００の内部には、焦点調節および焦点距離調節用のレンズ１０１、１０２と、開口量を調節するための絞り１０３が配置されている。レンズ１０１およびレンズ１０２はレンズ駆動機構１０７によって駆動され、絞り１０３は絞り駆動機構１０９によって駆動されるよう接続されている。レンズ駆動機構１０７、絞り駆動機構１０９はそれぞれレンズＣＰＵ１１１に接続されており、このレンズＣＰＵ１１１は通信接点３００を介してカメラ本体２００に接続されている。レンズＣＰＵ１１１は交換レンズ１００内の制御を行うものであり、レンズ駆動機構１０７を制御してピント合わせや、ズーム駆動を行うとともに、絞り駆動機構１０９を制御して絞り値制御を行う。
【００２０】
カメラ本体２００内には、被写体像を観察光学系に反射するためにレンズ光軸に対して４５度傾いた位置と、被写体像を撮像素子(後述のＣＣＤ２２１)に導くために跳ね上がった位置との間で、回動可能な可動反射ミラー２０１が設けられている。この可動反射ミラー２０１の上方には、被写体像を結像するためのフォーカシングスクリーン２０５が配置され、このフォーカシングスクリーン２０５の上方には、被写体像を左右反転させるためのペンタプリズム２０７が配置されている。このペンタプリズム２０７の出射側(図１で右側)には被写体像観察用の接眼レンズ２０９が配置され、この脇であって被写体像の観察に邪魔にならない位置に測光センサ２１１が配置されている。この測光センサ２１１は被写体像を分割して測光する多分割測光素子で構成されている。
【００２１】
上述の可動反射ミラー２０１の中央付近はハーフミラーで構成されており、この可動反射ミラー２０１の背面には、ハーフミラー部で透過した被写体光をカメラ本体２００の下部に反射するためのサブミラー２０３が設けられている。このサブミラー２０３は、可動反射ミラー２０１に対して回動可能であり、可動反射ミラー２０１が跳ね上がっているときには、ハーフミラー部を覆う位置に回動し、可動反射ミラー２０１が被写体像観察位置にあるときには、図示する如く可動反射ミラー２０１に対して開いた位置にある。この可動反射ミラー２０１はミラー駆動機構２１９によって駆動されている。また、サブミラー２０３の下方には測距用センサを含む測距回路２１７が配置されており、この回路は、レンズ１０１、１０２によって結像される被写体像の焦点ズレ量を測定するための回路である。
【００２２】
可動反射ミラー２０１の後方には、露光時間制御用のフォーカルプレーンタイプのシャッタ２１３が配置されており、このシャッタ２１３はシャッタ駆動機構２１５によって駆動制御される。シャッタ２１３の後方には撮像素子としてのＣＣＤ２２１が配置されており、レンズ１０１、１０２によって結像される被写体像を電気信号に光電変換する。なお、本実施形態では撮像素子としてＣＣＤを用いているが、これに限らずＣＭＯＳ（Complementary Metal Oxide
Semiconductor）等の二次元撮像素子を使用できることはいうまでもない。上述のシャッタ２１３とＣＣＤ２２１の間には、除塵機構を構成する防塵フィルタ２１８とこの防塵フィルタ２１８の周縁部に固着された圧電素子２２０からなる除塵機構が配置されている。この圧電素子２２０は防塵フィルタ駆動回路２１６によって駆動される。この除塵機構の詳細は、図３を用いて後述する。ＣＣＤ２２１はＣＣＤ駆動回路２２３に接続され、このＣＣＤ駆動回路２２３によってアナログデジタル変換（ＡＤ変換）がなされる。ＣＣＤ駆動回路２２３はＣＣＤインターフェース２２５を介して画像処理回路２２７に接続されている。この画像処理回路２２７は色補正、ガンマ(γ)補正、コントラスト補正、白黒・カラーモード処理、スルー画像処理といった各種の画像処理を行う。
【００２３】
画像処理回路２２７は、ＡＳＩＣ（Application Specific Integrated
Circuit 特定用途向け集積回路）２７１内のデータバス２６１に接続されている。このデータバス２６１には、画像処理回路２２７の他、後述するシーケンスコントローラ(以下、「ボディＣＰＵ」と称す)２２９、圧縮回路２３１、フラッシュメモリ制御回路２３３、ＳＤＲＡＭ制御回路２３６、入出力回路２３９、通信回路２４１、記録媒体制御回路２４３、ビデオ信号出力回路２４７、スイッチ検出回路２５３が接続されている。
【００２４】
データバス２６１に接続されているボディＣＰＵ２２９は、このデジタル一眼レフカメラのフローを制御するものである。またデータバス２６１に接続されている圧縮回路２３１はＳＤＲＡＭ２３７に記憶された画像データをＪＰＥＧやＴＩＦＦで圧縮し、また伸張するための回路である。なお、画像圧縮はＪＰＥＧやＴＩＦＦに限らず、他の圧縮方法も適用できる。データバス２６１に接続されているフラッシュメモリ制御回路２３３は、フラッシュメモリ（Flash Memory）２３５に接続され、このフラッシュメモリ２３５は、一眼レフカメラのフローを制御するためのプログラムが記憶されており、ボディＣＰＵ２２９はこのフラッシュメモリ２３５に記憶されたプログラムに従ってデジタル一眼レフカメラの制御を行う。なお、フラッシュメモリ２３５は、電気的に書換可能な不揮発性メモリである。ＳＤＲＡＭ２３７は、ＳＤＲＡＭ制御回路２３６を介してデータバス２６１に接続されており、このＳＤＲＡＭ２３７は、画像処理回路２２７によって画像処理された画像データまたは圧縮回路２３１によって圧縮された画像データを一時的に記憶するためのバッファメモリである。
【００２５】
上述の測光センサ２１１、シャッタ駆動機構２１５、防塵フィルタ駆動回路２１６、測距回路２１７およびミラー駆動機構２１９に接続される入出力回路２３９は、データバス２６１を介してボディＣＰＵ２２９等の各回路とデータの入出力を制御する。レンズＣＰＵ１１１と通信接点３００を介して接続された通信回路２４１は、データバス２６１に接続され、ボディＣＰＵ２２９等とのデータのやりとりや制御命令の通信を行う。データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。
【００２６】
データバス２６１に接続されたビデオ信号出力回路２４７は液晶モニタ駆動回路２４９を介して液晶モニタ２６に接続される。ビデオ信号出力回路２４７は、ＳＤＲＡＭ２３７、記録媒体２４５に記憶された画像データを、液晶モニタ２６に表示するためのビデオ信号に変換するための回路である。液晶モニタ２６はカメラ本体２００の背面に配置されるが、撮影者が観察できる位置であれば、背面に限らないし、また液晶に限らず他の表示装置でも構わない。シャッタレリーズ釦の第1ストロークや第２ストロークを検出するスイッチ、再生モードを指示するスイッチ、ＩＳＯ設定モードを指示するスイッチ、ホワイトバランス設定を指示するスイッチ、液晶モニタ２６の画面でカーソルの動きを指示するするスイッチ、撮影モードを指示するスイッチ、選択された各モード等を決定するＯＫスイッチ、表示切換を指示するスイッチ等の各種スイッチ２５５は、スイッチ検出回路２５３を介してデータバス２６１に接続されている。
【００２７】
次に、前述の除塵機構について図３を用いて説明する。被写体像を受光し光電変換するＣＣＤ２２１は、硬質電気回路基板２９０に半田付けによって固定支持されている。このＣＣＤ２２１の前側〈図中左側を言い、撮影レンズ１０１側でもある〉には保護ガラス２９１が一体に構成されている。保護ガラス２９１の前側には撮影レンズ１０１、１０２を透過した被写体光束から高周波成分を取り除くための光学的ローパスフィルタ２９５が配設されており、保護ガラス２９１の周縁部には光学的ローパスフィルタ２９５を受けるためのローパスフィルタ受け部材２９３が配設されていて、塵埃等が入り込まないよう密封されている。光学フィルタ２９５の前側には透明なガラスで構成された防塵フィルタ２１８が配設され、この防塵フィルタ２１８の周縁部には、防塵フィルタ２１８に対して所定の振動を加えるための圧電素子２２０が配設されている。
【００２８】
この圧電素子２２０は、防塵フィルタ２１８と撮像素子収納ケース２９７によってはさみこまれており、不図示の取付け部材にて撮像素子収納ケース２９７の端部に押圧固定されている。そして撮像素子収納ケース２９７は硬質電気回路基板２９０にネジ２９９によって固定されている。なお、圧電素子２２０での振動は、撮像素子収納ケース２９７に伝播されないように遮蔽されている。ＣＣＤ２２１や光学フィルタ２９５等は、防塵フィルタ２１８、圧電素子２２０および撮像素子収納ケース２９７等によって密封されている。圧電素子２２０は防塵フィルタ駆動回路２１６によって、防塵フィルタ２１８が所定の超音波で振動するよう駆動され、その振動を利用して防塵フィルタ２１８の前面に付着した塵埃を除去する。なお、撮像素子自体もしくは撮像素子の前面側に配設された光学素子に付着した塵埃を除去できるものであれば、本実施形態のような超音波振動を利用したものに限らず、空気ポンプ等を利用して空気流によって吹き飛ばすものや、静電気を利用して塵埃を集塵して除去するもの等、種々の方法に適宜、置き換えても勿論構わない。また、撮像素子ユニット自体を振動駆動し、その際撮像素子ユニットに加わる加速度を利用して、塵埃を除去するようにしても構わない。
【００２９】
次に、図４及び図５を用いて塵埃除去動作を行う防塵フィルタ駆動回路２１６とその周辺回路について説明する。防塵フィルタ駆動回路２１６内に配置されたＮ進カウンタ４１は、入出力回路２３９内のクロックジェネレータ５５から出力されるクロックパルス（Ｓｉｇ１）を入力し、また入出力回路２３９の出力ＩＯポートであるＤ_Ｃｎｔ端子から出力されるカウンタ設定値Ｎを入力する。Ｎ進カウンタ４１はクロックパルスをカウントしてカウンタ設定値Ｎとなるとパルス（Ｓｉｇ２）を出力する。このパルスＳｉｇ２を入力するＤフリップフロップから構成される１／２分周回路４２は、パルスＳｉｇ２の立ち上がり信号を入力するたびに出力（Ｓｉｇ３）が反転する分周回路である。
【００３０】
１／２分周回路４２の出力端子はインバータ４３の入力端子に接続され、このインバータ４３の出力端子は、ＭＯＳトランジスタ（Ｑ０２）４４ｃのゲートに接続される。ＭＯＳトランジスタ（Ｑ０２）４４ｃのソースはトランス４５の一次側の一端に接続され、ドレインは抵抗（Ｒ００）４６を介して接地されている。また、１／２分周回路４２の出力端子はＭＯＳトランジスタ（Ｑ０１）４４ｂのゲートに接続され、ＭＯＳトランジスタ（Ｑ０１）４４ｂのソースはトランス４５の一次側の他端に接続され、ドレインはＭＯＳトランジスタ（Ｑ０２）４４ｃのドレインに接続されている。
【００３１】
トランス４５の一次側中間タップは電源オンオフ用のＭＯＳトランジスタ（Ｑ００）４４ａのドレインに接続しており、このＭＯＳトランジスタ（Ｑ００）４４ａのゲートは、入出力回路２３９のＩＯポートであるＰ_ＰｗＣｏｎｔ端子に接続され、このトランジスタのソースは、電源回路５３ａに接続されている。また、トランス４５の二次側の一端は、圧電素子２２０の一端に接続され、圧電素子２２０の他端は接地されている。圧電素子２２０はトランス４５による昇圧交流電圧（Ｓｉｇ４）を受け、超音波振動を行う。
【００３２】
以上のように、防塵フィルタ駆動回路２１６とその周辺回路は構成されている。まず、ＭＯＳトランジスタ（Ｑ００）４４ａのゲートに、入出力回路２３９のＰ_ＰｗＣｏｎｔ端子からＬレベル信号が印加されると、トランジスタ４４ａはｐチャネルタイプであることから、導通し、電源回路５３ａから電源電圧がトランス４５の一次側中間タップに印加される。
【００３３】
この状態で、入出力回路２３９のクロックジェネレータ５５からクロックパルス（図５のＳｉｇ１参照）がＮ進カウンタ４１に出力されると、Ｎ進カウンタ４１はカウントを開始し、入出力回路２３９のＤ_ＮＣｎｔを介して設定された設定値Ｎまでカウントすると、出力端子からパルス信号Ｓｉｇ２を出力する（図５のＳｉｇ２参照）。Ｎ進カウンタ４１からのパルス信号Ｓｉｇ２を入力する１／２分周回路４２によって、デューティ比が５０％のパルス信号（図５のＳｉｇ３）に変換され、このパルス信号はＭＯＳトランジスタ（Ｑ０１）４４ｂのゲートと、インバータ４３を介してＭＯＳトランジスタ（Ｑ０２）４４ｃに印加される。
【００３４】
ＭＯＳトランジスタ（Ｑ０１）４４ｂとＭＯＳトランジスタ（Ｑ０２）４４ｃは交互にオン状態となり、トランス４５の一次側には中間タップを介して電源回路５３ａから電源電圧が印加され、トランス４５の巻線数比に従って昇圧された電圧（図５のＳｉｇ４）が二次側から出力され、圧電素子２２０に印加される。圧電素子２２０に印加される高圧電圧の周波数は入出力回路２３９のＤ_ＰｗＣｏｎｔ端子から設定される設定値Ｎによって変化させることができるので、圧電素子２２０の共振周波数となるように設定値Ｎを決めれば効率よく塵埃を除去することができる。なお、入出力回路２３９から防塵フィルタ駆動回路２１６に供給される信号は、ボディＣＰＵ２２９の制御によるものである。
【００３５】
次に、図６を用いて、カメラ本体２００の表示および動作モードの概略について説明する。
情報表示Ｍ１００はカメラ本体２００の電源スイッチがオンとなったときの初期設定される状態であり、カメラの撮影にあたって基本的な情報の表示を行うものであって、液晶モニタ２６に、撮影モード、シャッタスピード、絞り、ＡＦモード、フラッシュ、画素数等の情報表示の画面が表示される。プログラムモード、シャッタ速度優先モードといった撮影モードはモードダイヤル２２の回動操作によって設定される。また、感度、シャッタ速度、絞り値、補正値、画素数といった項目は、情報表示画面において十字キー３０を操作することによって項目を選択し、コントロールダイヤル２４の操作で数値を設定する。
【００３６】
情報表示Ｍ１００の状態において、レリーズ釦２１を半押しすることによって、１Ｒスイッチがオンとなり、撮影動作Ａ  Ｍ１３０に入り、レリーズ釦２１から手を離し、半押しが解除されることによって情報表示Ｍ１００に戻る。この撮影動作準備動作Ｍ１３０では、測光・測距等の撮影のための準備動作を行う。この後、レリーズ釦２１を全押しすると、撮影動作Ａ  Ｍ１３１を行う。この撮影動作Ａにおいて、ＣＣＤ２２１から被写体像の光電変換信号を取り込み、画像処理回路２２７によって画像処理の上、画像データを記録媒体２４５に記録動作を行う。
【００３７】
また、情報表示モードＭ１００において、表示切換釦３４を操作すると、スルー画表示モードＭ３００となる。このスルー画表示モードでは、前述したように被写体像記録用のＣＣＤ２２１の出力を用いて観察用に被写体像を液晶モニタ２６に表示する。このスルー画表示モードＭ３００において、レリーズ釦２１を半押しした状態では特に動作は何も行われないが、さらにレリーズ釦２１を全押しすると、撮影動作Ｂ  Ｍ３３０が実行される。撮影動作Ｂでは、ＣＣＤ２２１によって取得した被写体画像データを記録媒体２４５に記録する。撮影動作Ｂが終了すると、スルー画表示モードに戻る。
【００３８】
次に、前述のスルー画表示モードＭ３００について、図７に示すフローチャートを用いて、その詳細を説明する。
スルー画表示モードに入ると、測光センサ２１１の出力に基づいて被写体輝度の測定を行い、ここで得た被写体輝度に基づいてシャッタ速度及び／又は絞り値を演算により求める露光量演算を行う（＃１）。なお、ここで、求めるシャッタ速度及び／または絞り値は、前述の撮影モードにしたがって行う。この後、ＣＣＤ２２１の出力に基づいて被写体像を得るための準備を行う。まず、可動反射ミラー２０１をアップさせ（＃３）、レンズ１０１、１０２からの被写体光束をファインダ光学系からＣＣＤ２２１側に導くようにする。可動反射ミラー２０１が上昇すると、ステップ＃５に進み、シャッタ２１３を開放状態にする。シャッタ２１３が開放となることにより、ＣＣＤ２２１上に被写体像が結像する。
【００３９】
この後、ＣＣＤ２２１の駆動にあたっての電子シャッタスピードと感度の条件設定を行うために、ステップ＃１で求めた測光・露光量の演算結果を用いてスルー画条件設定１のサブルーチンを実行する（＃７）。このサブルーチンの実行によって液晶モニタ２６に適切な明るさ（明度）の像を表示することができ、詳細については図８を用いて後述する。スルー画条件設定１が終了すると、これで、スルー画表示の準備ができたので、ステップ＃９において、液晶モニタ２６に被写体像の表示を開始させる。なお、スルー画表示動作の制御はこの開始指示を受けて画像処理回路２２７にて行われる。
【００４０】
次に、ステップ＃２１において、レリーズ釦２１が全押しされたか、すなわち２Ｒがオンか否かの判定を行う。オンの場合には、撮影動作Ｂを行うための準備動作として、スルー画表示の停止のための一連の動作をステップ＃２３および＃２５において行う。まず、ＣＣＤ２２１への電源供給を停止し、液晶モニタ２６でのスルー画表示を停止させ（＃２３）、続いて、シャッタ２１３を閉じる（＃２５）。シャッタ２１３の閉じ動作が終了したら、撮影動作Ｂ（＃２７）のルーチンに移行する。このルーチンにおいて、ＣＣＤ２２１の出力に基づいて静止画像データを取得し、記録媒体２４５に静止画像データの記録を行う。撮影動作Ｂが終わると、ステップ＃１に戻り、前述の動作を繰り返す。
【００４１】
ステップ＃２１に戻り、２Ｒがオフであった場合には、ステップ＃３１に進み、表示切換釦３４がオンか否かの判定を行う。判定の結果、表示切換釦３４が操作されておりオンであった場合には、情報表示モードＭ１００に戻るための準備動作を行う。この準備動作のステップ＃３３および＃３５は、前述のステップ＃２３およびステップ＃２５と同様の処理なので、詳細は省略する。ステップ＃３７にて可動反射ミラー２０１をダウンさせ、被写体光束をＣＣＤ２２１側からファインダ光学系側に切り換える（＃２７）。これによって、光学式ファインダによって被写体像の観察が可能となる。可動反射ミラー２０１のダウン完了を検出すると、前述の情報表示モードＭ１００に移行する。
【００４２】
ステップ＃３１に戻り、判定の結果、表示切換釦３４がオフであった場合には、ステップ＃３９に進み、電源スイッチ〈不図示〉がオフか否かを判定する。判定の結果オフだった場合は、電源オフを行うがその前の準備動作として、ステップ＃４１からステップ＃４５を行うがこれらは前述のステップ＃３３から＃３７と同様であるので、詳細は省略する。ステップ＃４５にて可動反射ミラー２０１がダウンすると電源をオフし、動作を停止する。
【００４３】
ステップ＃３９に戻り、電源スイッチの判定の結果、オフではなかった場合には、ステップ＃４７に進み、除塵釦３９がオンか否かの判定を行う。除塵釦３９が操作され、オンである場合には、ステップ＃４９に進み、除塵動作中であるか否かの判定を行う。除塵動作は開始すると自動的に１秒間連続して行われるので、除塵動作中であれば、後述するステップ＃５７にジャンプする。一方、除塵動作中でなければ、ステップ＃５１に進み、１秒タイマをスタートさせ、続いてステップ＃５３において、スルー画表示の固定を行う。スルー画表示中は所定時間間隔でフレームを更新しているが、スルー画表示の固定により、このようなフレームの更新を停止する。
【００４４】
スルー画表示を固定しているのは、圧電素子２２０に超音波で高圧電圧を印加する際に発生するノイズがスルー画表示に重畳して見苦しくなるのを防止するためである。静電気を利用してや、空気ポンプによる空気流を利用して除塵を行う場合には、高電圧によりノイズが発生するおそれがあるが、このような場合にも、本発明を適用すれば、スルー画表示を改善することができる。なお、除塵装置として、撮像素子自体を駆動し、加速度を利用して塵埃除去する場合には、スルー画表示が揺れてしまい、見苦しくなるが、本実施形態のようにスルー画表示を固定することにより、そのような問題も解消することができる。
【００４５】
スルー画表示の固定が終わると、次に、ステップ＃５５において、除塵動作を行う。除塵動作は、入出力回路２３９のＰ_ＰｗＣｏｎｔ端子（図４参照）をＬレベルとして防塵フィルタ駆動回路２１６の駆動動作を開始させ、圧電素子２２０に駆動電圧を印加し超音波で防塵フィルタ２１８を振動させ、これによって塵埃等を除去する。除塵動作を開始させると、またはステップ＃４９において除塵動作中であると判定した場合には、ステップ＃５７に進み、ステップ＃５１でスタートさせた１秒タイマによって１秒が経過したか否かの判定を行う（＃５７）。なお、除塵動作を行うのに適切な時間であれば、このタイマの設定時間は適宜変更することができる。除塵動作を開始してから１秒間が経過すると、ステップ＃５９に進み、１秒タイマをリセットし、入出力回路２３９のＰ_ＰｗＣｏｎｔ端子をＨレベルとして防塵フィルタ駆動回路２１６の動作を停止させ、除塵動作を停止する。除塵動作を停止させた後、ステップ＃６１に進み、スルー画表示の再開を行う。すなわち、スルー画表示のためのフレームの更新を再開させる。
【００４６】
スルー画表示の再開を行ってから、またはステップ＃４７において除塵釦３９がオフと判定された場合には、ステップ＃６５に進み、スルー画条件の設定２を実行した後に、ステップ＃２１に戻り、前述のステップを繰り返す。ステップ＃６５におけるスルー画条件の設定２は、液晶モニタ２６におけるスルー画表示の明度を適切に保つことを目的とするサブルーチンである。ステップ＃７のスルー画条件設定１はスルー画表示前であったので、測光センサ２１１の出力に基づいて行ったが、スルー画条件設定２では、狙いとする明度と前回撮像結果に基づく画面明度と差分から次回撮像時の電子シャッタスピードと感度を決定する。なお、ここで、明度とは、例えば、ＣＣＤ２２１の各画素出力の加重平均値に対応した値である。
【００４７】
次に、「スルー画条件の設定１」と「スルー画条件設定２」について図８を用いて説明する。このサブルーチンは前述したように、液晶モニタ２６に被写体画像を表示する際の画像明度の調整を行うためのものである。まず、スルー画条件設定１のサブルーチンに入ると、ステップ＃２０１において、測光センサ２１１の出力ＢＶｓに基づいて次回撮像時の電子シャッタスピードＴＶ１と感度ＳＶ１の決定を行う。スルー画表示時における絞り値は開放絞りであるので、この絞り値をＡＶｓとすると、
ＡＶｓ＋ＴＶ１＝ＢＶｓ＋ＳＶ１
の関係があり、
ＢＶｓ−ＡＶｓ＝ＴＶ１−ＳＶ１
となる。この式の左辺は既知の値であるので、左辺の値からＴＶ１とＳＶ１を適宜、プログラムラインやテーブルに従って求めればよい。この後、決定された電子シャッタスピードＴＶ１と感度ＳＶ１をそれぞれのレジスタに記憶・設定する（＃２０７）。ＣＣＤ駆動回路２２３は、ここで設定・記憶されたＴＶ１とＳＶ１に基づいてＣＣＤ２２１の駆動制御を行い、光電変換信号の読み出しを行う。ステップ＃２０７にてＴＶ１およびＳＶ１の設定が終了すると元のフローに戻る。
【００４８】
次に、「スルー画条件設定２」を説明する。設定２のサブルーチンに入ると、まず、狙いの画像明度（所定値）と前回撮像時の画像明度との差ΔＥＶを算出する（＃２０３）。続いて、画像明度が一定となるように、次回撮像時の電子シャッタスピードＴＶ１と感度ＳＶ１を決定する（＃２０５）。この決定にあたっては、次の要素から求める。
・開放絞り値ＡＶ０
・前回撮像時の電子シャッタスピードＴＶ０
・前回撮像時の感度ＳＶ０
・狙いの画像明度と前回撮像時の画像明度との差ΔＥＶ
まず、露出条件の基本式として
ＡＶ０＋ＴＶ０＝ＢＶ０＋ＳＶ０
である。
【００４９】
ここで、ＢＶ０は前回の輝度であるが、真の値は分からず、上記基本式では仮の値としている。真の輝度値ＢＶ０は、狙いとの差、即ち、ΔＥＶだけ外れていることから、
ＢＶ０＝ＡＶ０＋ＴＶ０−ＳＶ０＋ΔＥＶ
＝ＡＶ１＋ＴＶ１−ＳＶ１
となり、この関係式からＴＶ１とＳＶ１を求める。ここで、差ΔＥＶは、例えば、撮像素子の各画素の出力の加重平均と狙いとする値との差から求めればよい。このステップ＃２０５を終了すると、前述したステップ＃２０７に進み、このステップを実行した後、元のフローに戻る。
【００５０】
以上、説明したように本発明の第１実施形態においては、除塵動作を行うにあたって（＃５５）、スルー画表示の固定を行うようにした（＃５３）ので、除塵動作に伴って発生するノイズがスルー画表示に重畳して見苦しくなることを防止することができる。
【００５１】
次に、本発明の第２実施形態を図９および図１０を用いて説明する。第１実施形態においては、除塵動作中にスルー画表示が見苦しくなるのを、スルー画表示を固定することによって解決していたが、第２実施形態においては、除塵動作中であることを表示することよりスルー画表示が見苦しくなることを防止している。第２実施形態の構成は、図７におけるスルー画表示モードにおいて、ステップ＃５３およびステップ＃６１が、図９に示すようにステップ＃１５３およびステップ＃１６１に置換する以外は同様であり、またスルー画表示形態が図１０に示すようにしている以外は同様であることから、相違点のみを説明する。
【００５２】
ステップ＃４７において、除塵釦３９がオンとなっていると判定すると、第１実施形態と同様に、除塵動作が開始される。そして、ステップ＃５１において１秒タイマをスタートさせると、次に、ステップ＃１５３において除塵動作中であることを示すメッセージを、図１０示すように表示する。すなわち、液晶モニタ２６の表示画面３０１上に表示されているスルー画表示３０３に重畳して「ダストリダクション実行中」というメッセージ表示３０５を行う。
【００５３】
メッセージの表示あたっては、図１０に示すメッセージ文言に限らず、除塵動作中であることが理解できる文言であれば良い。また図１０に示すように、メッセージの文言を含む周辺のスルー画が見えなくなるようにしても良いし、スルー画表示に対して文字のみを重畳させても良い。さらに、スルー画表示を全体に彩度を落としたり、明度を変更するようにして、メッセージ文字が目立つようにしても良い。また、メッセージ文字に限らず、除塵動作中であることを表す絵文字や記号を使用しても勿論構わないし、単に表示画面を消灯するだけでも良い。このように、除塵動作中である場合には、メッセージ表示によってスルー画表示を非表示状態とすることにより、ノイズ等によりスルー画表示が見苦しくなることを解消することができる。
【００５４】
ステップ＃１５３のメッセージ重畳表示を行ってから、第１実施形態と同様に、１秒間に亘って除塵動作を行い、除塵動作を停止したら、ステップ＃１６１において除塵動作中であることを示すメッセージの消去を行う。
【００５５】
このように本発明の第２実施形態においては、除塵動作を行うにあたって（＃５５）、除塵動作中であることを示す表示を行うようにした（＃１５３）ので、除塵動作に伴って発生するノイズがスルー画表示に重畳して見苦しくなることを解消することができる。
【００５６】
以上、説明したように本発明の第１及び第２実施形態においては、除塵動作を行う際に、スルー画表示を固定し、またはメッセージを表示する等、スルー画表示を非表示状態としたので、スルー画表示機能とダストリダクション機能を同時に動作させた場合でも、スルー画表示が見苦しくならないようにすることができる。
【００５７】
なお、除塵動作は除塵釦３９が操作されたときのみ実行していたが、これに限らず、例えば、レリーズ釦２１が半押しされ撮影準備動作に入るときや、撮影動作が終了した時点等、自動的に除塵動作を行うカメラにおいては、その際、スルー画表示を行っていれば、本実施形態と同様に、メッセージ表示を行う等のスルー画表示の非表示や、スルー画表示の固定を行ってことも本発明に含まれる。
【００５８】
また、本発明の第１及び第２実施形態においては、撮像素子としてはＣＣＤ２２１のみを備えたデジタル一眼レフカメラであったが、これに限らず、複数の撮像素子を備え、これらの撮像素子の出力に基づいてスルー画表示するカメラにも、本発明を適用することができる。
【００５９】
本発明の実施形態の説明にあたっては、デジタル一眼レフカメラを例に挙げたが、これに限らず、ノイズリダクション機能を有すると共に、撮像素子を有し、この撮像素子の出力に基づいてスルー画を表示することのできるデジタルカメラや電子撮像装置であれば適用できることは勿論である。
【図面の簡単な説明】
【００６０】
【図１】本発明の第１実施形態に係わるデジタル一眼レフカメラの外観斜視図である。
【図２】本発明の第１実施形態に係るデジタル一眼レフカメラの全体構成を示すブロック図である。
【図３】本発明の第１実施形態に係わる除塵機構の断面図である。
【図４】本発明の第１実施形態に係る防塵フィルタ駆動回路とその周辺回路の回路構成を示す回路図である。
【図５】本発明の第１実施形態に係る防塵フィルタ駆動回路とその周辺回路の動作を説明するための図４中の各部における信号波形を表すタイムチャート図である。
【図６】本発明の第１実施形態に係るデジタル一眼レフカメラの表示モードおよびその動作モード・メニューの階層構造を示すブロック図である。
【図７】本発明の第１実施形態に係るスルー画表示モードのフローチャートである。
【図８】本発明の第１実施形態に係るスルー画条件の設定１とスルー画条件の設定２のフローチャートである。
【図９】本発明の第２実施形態に係るスルー画表示モードのフローチャートである。
【図１０】本発明の第２実施形態に係るスルー画表示における表示画面を示す図である。
【符号の説明】
【００６１】
２１  レリーズ釦
２６  液晶モニタ
３９  除塵釦
１００  レンズ鏡筒
２００  カメラ本体
２１６  防塵フィルタ駆動回路
２１８  防塵フィルタ
２２０  圧電素子
２２１  ＣＣＤ
２２９  ボディＣＰＵ
２２７  画像処理回路
【図１】
2008053846.tif 000003
【図２】
2008053846.tif 000004
【図３】
2008053846.tif 000005
【図４】
2008053846.tif 000006
【図５】
2008053846.tif 000007
【図６】
2008053846.tif 000008
【図７】
2008053846.tif 000009
【図８】
2008053846.tif 000010
【図９】
2008053846.tif 000011
【図１０】
2008053846.tif 000012